(57)【要約】【課題】ポータブル装置をオーディオ装置に接続して、このポータブル装置から出力されていたレベルと同じレベルの音量でオーディオ装置から楽曲音を出力する。【解決手段】ケーブル３０を介してポータブル装置１０が接続されると、オーディオ機器２０はポータブル装置１０側の音量設定値を問い合わせる。ポータブル装置１０は、音量記憶部１７から音量制御信号ＶＯＬ１に対応する音量設定値を読み出し、オーディオ機器２０へ送信する。オーディオ機器２０は、音量記憶部２９内の音量設定テーブルを参照し、ポータブル装置１０から得られた音量設定値に対応するオーディオ機器２０側の音量設定値を設定し、これに応じた音量制御信号ＶＯＬ２を増幅部２４に与える。これにより、ポータブル装置１０の増幅部１３から出力されていたレベルとほぼ同じレベルの音量でオーディオ機器２０のスピーカ２５から楽曲音を出力することができる。【選択図】図１
2010086603.tif 000002
【特許請求の範囲】
【請求項１】
楽曲データを記憶するポータブル装置と、スピーカから楽曲音を出力するオーディオ機器とを接続して構成されるオーディオ再生装置であって、
前記ポータブル装置は、
前記楽曲データが記憶された楽曲記憶手段から楽曲データを読み出して楽曲信号を再生する再生手段と、
前記楽曲信号を出力する出力手段と、
前記楽曲信号を前記出力手段から所望レベルの楽曲音として出力するために第１の音量設定値を入力する操作手段と、
前記楽曲信号を前記第１の音量設定値に応じたレベルに増幅して前記出力手段に出力する第１の増幅手段と、
前記オーディオ機器からの問い合わせに応じて前記第１の音量設定値を出力する第１の制御手段と、を備え、
前記オーディオ機器は、
前記ポータブル装置に対して前記第１の音量設定値を問い合わせ、該第１の音量設定値に基づいて第２の音量設定値を出力する第２の制御手段と、
前記楽曲信号を前記第２の音量設定値に応じたレベルに増幅して前記スピーカから楽曲音を出力する第２の増幅手段と、を備える
ことを特徴とするオーディオ再生装置。
【請求項２】
前記第２の制御手段は、
前記第１の音量設定値と前記第２の音量設定値の関係を固定的に対応付けるための音量設定テーブルを有する
ことを特徴とする請求項１に記載のオーディオ再生装置。
【請求項３】
前記第２の制御手段は、
前記第１の音量設定値と前記第２の音量設定値を対応付けるための音量設定テーブルと、
前記スピーカから出力される楽曲音のレベルを変更するために、前記第２の音量設定値を変更する操作部とを有し、
前記第２の増幅手段によって前記スピーカから前記楽曲音の出力が開始されたあと、一定時間内に前記操作部に対して前記第２の音量設定値を変更する操作が行われた場合に、該操作に基づいて前記音量設定テーブルの内容を変更するように構成される
ことを特徴とする請求項１に記載のオーディオ再生装置。
【請求項４】
前記第１の制御手段は、前記オーディオ機器からの問い合わせに応じて前記第１の音量設定値の平均値を出力する
ことを特徴とする請求項１乃至３のいずれか１項に記載のオーディオ再生装置。
【請求項５】
前記第１の制御手段は、前記第１の音量設定値の変化を所定時間だけ記憶する記憶部を有し、
前記オーディオ機器からの問い合わせに応じて、前記記憶部に記憶された所定時間前の前記第１の音量設定値を読み出して出力する
ことを特徴とする請求項１乃至３のいずれか１項に記載のオーディオ再生装置。
【請求項６】
楽曲データが記憶された楽曲記憶手段から楽曲データを読み出して楽曲信号を再生する再生手段、及び操作手段から入力された第１の音量設定値に従って前記楽曲信号を増幅して出力手段に出力する第１の増幅手段を備えるポータブル装置と、
前記ポータブル装置から与えられる前記楽曲信号を第２の音量設定値に応じたレベルに増幅してスピーカから楽曲音を出力する第２の増幅手段を備えるオーディオ機器とを接続したオーディオ再生装置によるオーディオ再生方法であって、
前記オーディオ機器が、前記ポータブル装置の接続を検出したときに、該ポータブル装置に対して前記第１の音量設定値を問い合わせる処理と、
前記ポータブル装置が、前記オーディオ機器からの問い合わせに応じて前記第１の音量設定値を送信する処理と、
前記オーディオ機器が、前記ポータブル装置から受信した前記第１の音量設定値に対応する第２の音量設定値を設定する処理と、
前記オーディオ機器の第２の増幅手段が、前記ポータブル装置から与えられる前記楽曲信号を前記第２の音量設定値に応じたレベルに増幅してスピーカから楽曲音を出力する処理と、を順次行う
ことを特徴とするオーディオ再生方法。
【請求項７】
楽曲データを記憶するポータブル装置とスピーカから楽曲音を出力するオーディオ機器とを接続し、前記ポータブル装置側で設定された音量設定値に従って前記オーディオ装置側のスピーカから所望レベルで楽曲音を出力するために、コンピュータを用いて、
前記オーディオ機器が、前記ポータブル装置の接続を検出したときに、該ポータブル装置に対して前記音量設定値を問い合わせる処理と、
前記ポータブル装置が、前記オーディオ機器からの問い合わせに応じて前記音量設定値を送信する処理と、
前記オーディオ機器が、前記ポータブル装置から受信した前記音量設定値に対応する前記所望レベルを設定する処理と、を順次実行させる
ことを特徴とするオーディオ再生プログラム。
【発明の詳細な説明】
【技術分野】
【０００１】
本発明は、オーディオ再生技術、特にポータブル装置と据え置き型のオーディオ機器を接続して再生する技術に関する。
【背景技術】
【０００２】
近年、不揮発性メモリに楽曲データ等を記憶するデジタルプレーヤと呼ばれるポータブル装置が普及している。特に、最近では、ポータブル装置に使用される不揮発性メモリの大容量化が進んだことや、記憶媒体として超小型のハードディスクが採用されたこと等から、極めて大量のコンテンツ（楽曲データ等）がポータブル装置に記憶できるようになっている。
【０００３】
このため、ユーザは、例えば自己が所有するすべてのコンテンツをポータブル装置に格納し、出先等であっても、好みの楽曲を自由に選んでヘッドホンやイヤホン等で聞くことができる。また、帰宅した時には、ポータブル装置のヘッドホン等を使用する代わりに、このポータブル装置をステレオ装置等の据え置き型のオーディオ機器に接続し、オーディオ機器のスピーカから高音質の音楽を楽しむこともできる。
【０００４】
下記特許文献１には、ポータブル装置とオーディオ機器を接続し、オーディオ機器が備える特有の機能でポータブル装置を制御することができるオーディオシステムが記載されている。
このオーディオシステムでは、ケーブルを介してポータブル装置をオーディオ機器に接続すると、接続を検出したポータブル装置からオーディオ機器に対して、記憶している楽曲管理データを送信する。オーディオ機器は、受信した楽曲管理データの中から再生する楽曲をランダムに選択し、その楽曲の再生指示をポータブル装置に送信する。
【０００５】
ポータブル装置は、再生指示に従って選択された楽曲データを再生部で再生し、楽曲信号をオーディオ機器に供給する。オーディオ機器は、供給された楽曲信号を音響信号に変換して楽曲音をスピーカから出力する。これにより、ポータブル装置側にランダム再生機能が備わっていなくても、オーディオ機器の制御によってランダム再生を実現することができる。
【０００６】
【特許文献１】特開２００７−１７２７９２号公報
【発明の開示】
【発明が解決しようとする課題】
【０００７】
しかしながら、特許文献１のオーディオシステムでは、次のような問題点があった。
即ち、ポータブル装置とオーディオ機器では、それぞれ音量設定が独立して行われるようになっている。このため、接続前にポータブル装置から出力されていた音量と、接続後にオーディオ装置から出力される音量が異なり、オーディオ装置側で音量を再調整する必要がある。
【０００８】
特に、ポータブル装置に格納された楽曲データの録音レベルは楽曲毎に異なるため、ポータブル装置で再生する時点で、ユーザの好みに応じて音量調整が行われている。一方、オーディオ装置側の音量調整は、一般的に最後に使用して電源を切断する直前の状態に保持されている。従って、録音レベルが低いＣＤ（コンパクト・ディスク）を聞くためにボリュームを上げた状態で使用していたオーディオ機器に、録音レベルの高い楽曲データを出力するポータブル装置を接続した場合、オーディオ機器のスピーカから突然大音響が出力されるおそれがある。
【０００９】
また、ユーザによっては、オーディオ機器の電源を切る際に、音量を最小レベルにすることもある。このような場合、ポータブル装置を接続してもスピーカから音が出ないので、ポータブル装置を接続する都度、オーディオ機器の音量を調整する必要がある。
【００１０】
本発明は、ポータブル装置をオーディオ機器に接続したときに、このポータブル装置から出力されていたレベルとほぼ同じレベルの音量でオーディオ機器のスピーカから楽曲音を出力することができるオーディオ再生装置やオーディオ再生方法等を提供することを目的とする。
【課題を解決するための手段】
【００１１】
上記目的を達成するために、本発明の第１の観点に係るオーディオ再生装置は、楽曲データを記憶するポータブル装置と、スピーカから楽曲音を出力するオーディオ機器とを接続して構成されるオーディオ再生装置であって、前記ポータブル装置は、前記楽曲データが記憶された楽曲記憶手段から楽曲データを読み出して楽曲信号を再生する再生手段と、前記楽曲信号を出力する出力手段と、前記楽曲信号を前記出力手段から所望レベルの楽曲音として出力するために第１の音量設定値を入力する操作手段と、前記楽曲信号を前記第１の音量設定値に応じたレベルに増幅して前記出力手段に出力する第１の増幅手段と、前記オーディオ機器からの問い合わせに応じて前記第１の音量設定値を出力する第１の制御手段とを備えている。
また、前記オーディオ機器は、前記ポータブル装置に対して前記第１の音量設定値を問い合わせ、該第１の音量設定値に基づいて第２の音量設定値を出力する第２の制御手段と、前記楽曲信号を前記第２の音量設定値に応じたレベルに増幅して前記スピーカから楽曲音を出力する第２の増幅手段とを備えることを特徴とする。
【００１２】
なお、前記第２の制御手段は、前記第１の音量設定値と前記第２の音量設定値の関係を固定的に対応付けるための音量設定テーブルを有することができる。
【００１３】
また、前記第２の制御手段は、前記第１の音量設定値と前記第２の音量設定値を対応付けるための音量設定テーブルと、前記スピーカから出力される楽曲音のレベルを変更するために、前記第２の音量設定値を変更する操作部とを有し、前記第２の増幅手段によって前記スピーカから前記楽曲音の出力が開始されたあと、一定時間内に前記操作部に対して前記第２の音量設定値を変更する操作が行われた場合に、該操作に基づいて前記音量設定テーブルの内容を変更するように構成しても良い。
【００１４】
更に、前記第１の制御手段は、前記オーディオ機器からの問い合わせに応じて前記第１の音量設定値の平均値を出力するように構成することができる。
【００１５】
また、前記第１の制御手段は、前記第１の音量設定値の変化を所定時間だけ記憶する記憶部を有し、前記オーディオ機器からの問い合わせに応じて、前記記憶部に記憶された所定時間前の前記第１の音量設定値を読み出して出力するように構成しても良い。
【００１６】
本発明の第２の観点に係るオーディオ再生方法は、楽曲データが記憶された楽曲記憶手段から楽曲データを読み出して楽曲信号を再生する再生手段、及び操作手段から入力された第１の音量設定値に従って前記楽曲信号を増幅して出力手段に出力する第１の増幅手段を備えるポータブル装置と、前記ポータブル装置から与えられる前記楽曲信号を第２の音量設定値に応じたレベルに増幅してスピーカから楽曲音を出力する第２の増幅手段を備えるオーディオ機器とを接続したオーディオ再生装置によるオーディオ再生方法であって、
前記オーディオ機器が、前記ポータブル装置の接続を検出したときに、該ポータブル装置に対して前記第１の音量設定値を問い合わせる処理と、
前記ポータブル装置が、前記オーディオ機器からの問い合わせに応じて前記第１の音量設定値を送信する処理と、
前記オーディオ機器が、前記ポータブル装置から受信した前記第１の音量設定値に対応する第２の音量設定値を設定する処理と、
前記オーディオ機器の第２の増幅手段が、前記ポータブル装置から与えられる前記楽曲信号を前記第２の音量設定値に応じたレベルに増幅してスピーカから楽曲音を出力する処理とを、順次行うことを特徴とする。
【００１７】
本発明の第３の観点に係るオーディオ再生プログラムは、楽曲データを記憶するポータブル装置とスピーカから楽曲音を出力するオーディオ機器とを接続し、前記ポータブル装置側で設定された音量設定値に従って前記オーディオ装置側のスピーカから所望レベルで楽曲音を出力するために、コンピュータを用いて、
前記オーディオ機器が、前記ポータブル装置の接続を検出したときに、該ポータブル装置に対して前記音量設定値を問い合わせる処理と、
前記ポータブル装置が、前記オーディオ機器からの問い合わせに応じて前記音量設定値を送信する処理と、
前記オーディオ機器が、前記ポータブル装置から受信した前記音量設定値に対応する前記所望レベルを設定する処理とを、順次実行させることを特徴とする。
【発明の効果】
【００１８】
本発明によれば、オーディオ機器にポータブル装置が接続されたときに、オーディオ機器がポータブル装置側の第１の音量設定値を問い合わせ、ポータブル装置から得られた第１の音量設定値に対応するオーディオ機器側の第２の音量設定値に従って、ポータブル装置から与えられる楽曲信号を増幅してスピーカから出力するように構成している。これにより、ポータブル装置をオーディオ機器に接続して、このポータブル装置から出力されていたレベルと同じレベルの音量でオーディオ機器のスピーカから楽曲音を出力することができる。
【発明を実施するための最良の形態】
【００１９】
以下、図面に基づき、本発明の実施形態について詳細に説明する。
図１に示すように、本発明の実施形態のオーディオ再生装置は、楽曲データを有し楽曲信号を出力するポータブル装置１０と、このポータブル装置１０から供給される楽曲信号を適切なレベルに増幅して楽曲音を出力するオーディオ機器２０と、これらの間を接続するケーブル３０で構成されている。
【００２０】
ポータブル装置１０は、圧縮符号化された音楽ファイルである複数の楽曲データやこれらの楽曲データを管理するための楽曲管理データが記憶された、フラッシュメモリ等の不揮発性メモリや超小型ハードディスク等からなる楽曲記憶部１１を有している。楽曲記憶部１１には、再生部１２が接続されている。
【００２１】
再生部１２は、楽曲記憶部１１から楽曲データを読み出して復号化することにより、アナログの楽曲信号を再生するものである。再生部１２で再生された楽曲信号は、ヘッドホン等を駆動するために増幅部１３に与えられると共に、ライン出力Ｌ，Ｒとしてオーディオ機器２０側へ転送するために、コネクタＣ１に出力されるようになっている。
【００２２】
増幅部１３は、再生部１２で再生された楽曲信号をヘッドホン等を駆動できるレベルに電力増幅するもので、音量制御信号ＶＯＬ１によってその出力レベルを調整することができるようになっている。増幅部１３の出力側は、ヘッドホン・ジャックＪに接続されている。
【００２３】
コネクタＣ１は、ポータブル装置１０とオーディオ機器２０のと間を、ケーブル３０を介して着脱自在に接続するためのもので、再生部１２で再生された楽曲信号（左右のライン出力Ｌ，Ｒ）の他、これらのポータブル装置１０とオーディオ機器２０間の制御信号ＣＯＮを転送するようになっている。制御信号ＣＯＮは、通信部１４を介して制御部１５との間で送受信されるようになっている。則ち、通信部１４は、制御部１５で使用される論理レベルの信号と、ケーブル３０で転送される信号（例えば、ＵＳＢ規格の信号）との間のレベル変換等を行うものである。
【００２４】
制御部１５は、例えばＣＰＵ(Central Processing Unit)とメモリで構成され、このメモリに格納された制御用のプログラムをＣＰＵで順次読み出して実行することにより、ポータブル装置１０全体の動作を制御するものである。また、制御部１５は、楽曲記憶部１１に記憶された楽曲データを楽曲信号にデコードする機能も有している。制御部１５には、楽曲記憶部１１、再生部１２、増幅部１３、及び通信部１４が接続される他、操作部１６と音量記憶部１７が接続されている。
【００２５】
操作部１６は、ポータブル装置１０の電源をオン・オフしたり、再生する楽曲を選択したり、ヘッドホンの音量を調整したりするためのものである。音量記憶部１７は、操作部１６で設定された音量設定値を記憶するものである。この音量記憶部１７に記憶された音量設定値は、制御部１５から増幅部１３に与える音量制御信号ＶＯＬ１に対応する値である。
【００２６】
オーディオ機器２０は、ポータブル装置１０のコネクタＣ１に対応して、このポータブル装置１０から与えられるライン出力Ｌ，Ｒを入力すると共に、ポータブル装置１０との間で制御信号ＣＯＮを送受信するため、ケーブル３０を着脱自在に接続するコネクタＣ２を有している。
【００２７】
コネクタＣ２に入力されるライン出力Ｌ，Ｒは、チューナ２１やディスク再生部２２の出力信号と共に、セレクタ２３の入力側に与えられるようになっている。なお、チューナ２１は、ＦＭ放送等を受信する受信機であり、ディスク再生部２２は、ＣＤ，ＭＤ，ＤＶＤ等の記憶メディアに記録された楽音データから楽曲信号を再生するものである。
【００２８】
セレクタ２３は、入力側の信号を選択信号ＳＥＬに従って選択して出力するもので、このセレクタ２３の出力側に増幅部２４が接続されている。増幅部２４は、セレクタ２３で選択されて出力される楽曲信号を、スピーカ等を駆動できるレベルに電力増幅するもので、音量制御信号ＶＯＬ２によってその出力レベルを調整することができるようになっている。増幅部２４の出力側には、楽曲音を出力するスピーカ２５が接続されている。
【００２９】
一方、コネクタＣ２で送受信する制御信号ＣＯＮは、通信部２６を介して制御部２７との間で送受信されるようになっている。則ち、通信部２６は、制御部２７で使用される論理レベルの信号と、ケーブル３０で転送される信号との間のレベル変換等を行うものである。
【００３０】
制御部２７は、ポータブル装置１０の制御部１５と同様に、ＣＰＵとメモリで構成され、このメモリに格納された制御用のプログラムをＣＰＵで順次読み出して実行することにより、オーディオ機器２０全体の動作を制御するものである。制御部２７には、チューナ２１、ディスク再生部２２、セレクタ２３、増幅部２４、及び通信部２６が接続される他、操作部２８と音量記憶部２９が接続されている。なお、セレクタ２３に対する選択信号ＳＥＬや、増幅部２４に対する音量制御信号ＶＯＬ２は、この制御部２７から出力されるようになっている。
【００３１】
操作部２８は、ユーザの好みに応じてオーディオ再生装置全体の動作の指示を行うためのもので、オーディオ機器２０のみならず、ポータブル装置１０に対する操作（例えば、楽曲記憶部１１内の楽曲管理データを呼び出して、再生する楽曲を指定する操作等）もできるようになっている。
【００３２】
音量記憶部２９は、操作部２８でスピーカ出力のために設定された音量設定値を記憶するものである。この音量記憶部２９に記憶された音量設定値は、制御部２７から増幅部２４に与えられる音量制御信号ＶＯＬ２に対応する値である。更に、この音量記憶部２９には、ポータブル装置１０の音量設定値とオーディオ機器２０の音量設定値の対応関係を示す音量設定テーブルが記憶されている。
【００３３】
ここで、音量記憶部２９に記憶される音量設定テーブルについて説明する。
ポータブル装置１０のヘッドホン・ジャックＪや、オーディオ機器２０のスピーカ２５から出力される音量は、一般的に数値によって段階的に設定されるようになっている。音量設定値の範囲は、例えばポータブル装置１０では、０（最小値）〜１９（最大値）の２０段階となっており、オーディオ機器２０では、０（最小値）〜３９（最大値）の４０段階となっている。これらの数値は、実際の出力電力の値（例えば１Ｗ等）を示すものではなく、装置や機器で任意に設定される相対的な値である。従って、ポータブル装置１０で音量設定値を１０に設定してヘッドホンで聴いていた楽曲を、オーディオ機器２０のスピーカ２５で聴く場合、このオーディオ機器２０の音量設定値を同じ１０に設定しても、同じレベルで違和感なく聴くことができるとは限らない。
【００３４】
このため、ポータブル装置１０の出力からオーディオ機器２０の出力に切り替えたときに、ほとんど同じレベルと感じられるような音量設定値の対応関係が予め設定されている必要がある。音量設定テーブルは、図２に一例を示すように、ポータブル装置１０の音量設定値毎に、オーディオ機器２０から同じレベルの音量を出力する場合の音量設定値を対応付けて記録したものである。
【００３５】
次に、図１のオーディオ再生装置の動作を、ポータブル装置１０とオーディオ機器２０に分けて説明する。
（１）  ポータブル装置１０の動作
ポータブル装置１０では、操作部１６からの操作入力、またはケーブル３０を介してオーディオ機器２０から与えられるコマンドに従い、制御部１５の制御によって各種の処理が行われる。
【００３６】
図３のステップＳ１１において、制御部１５は、操作部１６からの操作入力またはオーディオ機器２０からのコマンド受信等の新たな動作要求を監視し、新たな動作要求がない場合はそれまでの動作（例えば楽曲データの再生出力等）を継続する（ステップＳ１１；いいえ）。操作入力等が検出されると（ステップＳ１１；はい）ステップＳ１２へ進む。
【００３７】
ステップＳ１２において、制御部１５は、新たな動作要求が楽曲選択操作または再生コマンド受信によるものであるか否かを判定する。新たな動作要求が、楽曲選択操作または再生コマンド受信の場合（ステップＳ１２；はい）はステップＳ１３へ進み、それ以外の場合（ステップＳ１２；いいえ）はステップＳ１４へ進む。
【００３８】
ステップＳ１３において、制御部１５は、楽曲選択操作または受信した再生コマンドに従って、再生部１２に対して楽曲記憶部１１から楽曲データを読み出して再生させるための指示を行う（ステップＳ１３）。これにより、再生部１２は、指定された楽曲データを楽曲記憶部１１から読み出し、復号化してアナログに変換した楽曲信号を増幅部１３に与えると共に、ライン出力Ｌ，ＲとしてコネクタＣ１に出力する。
【００３９】
増幅部１３に与えられた楽曲信号は、この増幅部１３によって増幅され、制御部１５から与えられる音量制御信号ＶＯＬ１に従って出力電力が調整されて、ヘッドホン・ジャックＪに出力される。なお、コネクタＣ１に出力されるライン出力Ｌ，Ｒのレベルは、音量制御信号ＶＯＬ１に影響されない。ステップＳ１３のあと、ステップＳ１１に戻る。
【００４０】
ステップＳ１４において、制御部１５は、新たな動作要求が音量設定操作か否かを判定する。新たな動作要求が、音量設定操作の場合（ステップＳ１４；はい）はステップＳ１５へ進み、それ以外の場合（ステップＳ１４；いいえ）はステップＳ１７へ進む。
【００４１】
ステップＳ１５において、制御部１５は操作部１６によって設定された音量設定値を音量記憶部１７に記憶する。更に、ステップＳ１６において、制御部１５は、設定された音量設定値に基づいて増幅部１３に与える音量制御信号ＶＯＬ１を変更する。これにより、増幅部１３からヘッドホン・ジャックＪに出力される出力電力が変更される（ステップＳ１６）。ステップＳ１６のあと、ステップＳ１１に戻る。
【００４２】
ステップＳ１７において、制御部１５は、新たな動作要求がオーディオ機器２０からの音量設定値の通知を要求するコマンドか否かを判定する。新たな動作要求が、オーディオ機器２０からの音量設定値の通知を要求するコマンドの場合（ステップＳ１７；はい）はステップＳ１８へ進み、それ以外の場合（ステップＳ１７；いいえ）はステップＳ１９へ進む。
ステップＳ１８において、制御部１５は、音量記憶部１７に記憶されている音量設定値を読み出し、通信部１４を介してオーディオ機器２０側へ送信する。ステップＳ１８のあと、ステップＳ１１に戻る。
【００４３】
ステップＳ１９へ進んだ場合（ステップＳ１７；いいえ）は、制御部１５は、ステップＳ１１で与えられたその他の操作要求（例えば、楽曲再生の一時停止や終了等の要求）に応じた処理を行い、ステップＳ１１へ戻る。
【００４４】
（２）  オーディオ機器２０の動作
オーディオ機器２０は、ポータブル装置１０と接続してこのポータブル装置１０から出力される楽曲信号を増幅してスピーカ２５から楽曲音を出力する他、選択信号ＳＥＬによってチューナ２１やディスク再生部２２の出力を選択してスピーカ２５から楽曲音等を出力することができるが、ここではポータブル装置１０と接続した場合の動作を説明する。
【００４５】
図４のステップＳ２１において、制御部２７は、ケーブル３０及び通信部２６を介して与えられるポータブル装置１０からの制御信号ＣＯＮを監視し、ポータブル装置１０が接続されたか否かを判定する。ポータブル装置１０が接続されていない場合（ステップＳ２１；いいえ）はステップＳ２１による監視を継続し、ポータブル装置１０の接続が確認される（ステップＳ２１；はい）とステップＳ２２へ進む。なお、このステップＳ２１の処理は、オーディオ機器２０の増幅動作用の電源が投入されていない待機状態においても、行われるようになっている。
【００４６】
ステップＳ２２において、制御部２７は、オーディオ機器２０の電源がオンとなっているか否かを判定する。電源がオンとなっていない場合（即ち、オフの場合）（ステップＳ２２；いいえ）はステップＳ２３へ進み、制御部２７は増幅動作用の電源を投入し、ステップＳ２４へ進む。電源が既にオンになっている場合（ステップＳ２２；はい）は、直ちにステップＳ２４へ進む。
【００４７】
ステップＳ２４において、制御部２７は、ポータブル装置１０に対してその音量設定値の通知を要求するコマンドを送信し、このポータブル装置１０における音量設定値を取得する。これは、図３におけるポータブル装置１０側のステップＳ１７，Ｓ１８の処理に対応するものである。ステップＳ２４のあと、ステップＳ２５へ進む。
【００４８】
ステップＳ２５において、制御部２７は、音量記憶部２９に記憶されている音量設定テーブルを参照し、ポータブル装置１０における音量設定値に対応するオーディオ機器２０の音量設定値を調べる。更に、制御部２７は、音量設定テーブルから得たオーディオ機器２０の音量設定値に基づいて、増幅部２４に対する音量制御信号ＶＯＬ２を生成して出力する。これにより、オーディオ機器２０のスピーカ２５から出力される音量が、ポータブル装置１０側の音量設定値に応じて設定される。ステップＳ２５のあと、ステップＳ２６へ進む。
【００４９】
ステップＳ２６において、制御部２７は、セレクタ２３がポータブル装置１０を選択しているか否かを判定する。セレクタ２３がポータブル装置１０以外（即ち、チューナ２１やディスク再生部２２）を選択している場合（ステップＳ２６；ポータブル装置以外）はステップＳ２７へ進み、このセレクタ２３でポータブル装置１０を選択するように切り替え、ステップＳ２８へ進む。セレクタ２３が既にポータブル装置１０を選択している場合（ステップＳ２６；ポータブル装置）は、直ちにステップＳ２８へ進む。
【００５０】
ステップＳ２８において、制御部２７は、操作部２８からの入力等に基づいて、ポータブル装置１０に楽曲データを再生して楽曲信号を出力させるための再生コマンドを送信し、ステップＳ２９へ進む。再生コマンドを受信したポータブル装置１０では、図３のステップＳ１２，Ｓ１３の処理が行われ、再生された楽曲信号がケーブル３０を介してオーディオ機器２０のセレクタ２３に送信される（ステップＳ２８）。
【００５１】
ステップＳ２９において、ポータブル装置１０から送られてきた楽曲信号は、オーディオ機器２０のセレクタ２３で選択され、増幅部２４に与えられる。増幅部２４は、セレクタ２３で選択された楽曲信号を、音量制御信号ＶＯＬ２に応じたレベルに増幅し、スピーカ２５から出力する。
【００５２】
以上詳細に説明したように、本実施形態のオーディオ再生装置は、オーディオ機器２０にポータブル装置１０が接続されたときに、オーディオ機器２０がポータブル装置１０側の音量設定値を問い合わせ、ポータブル装置１０から得られた音量設定値に対応するオーディオ機器２０側の音量設定値に従って、増幅部２４に対する音量制御信号ＶＯＬ２を出力するように構成している。これにより、ポータブル装置１０をオーディオ機器２０に接続して、このポータブル装置１０から出力されていたレベルと同じレベルの音量でオーディオ機器２０から楽曲音を出力することができるという利点がある。
【００５３】
なお、本発明は、上記実施形態に限定されるものではなく、次のような種々の変形が可能である。
（ａ）  音量設定テーブルは、予め固定的に設定されたものである必要はなく、ユーザがポータブル装置１０をオーディオ機器２０に接続した後、音量調整をした場合に、その音量調整後の音量設定値に基づいて修正を加えるような学習機能を持たせるようにしても良い。
【００５４】
例えば、ポータブル装置１０から受信した音量設定値ｘに基づいて音量設定テーブルを参照し、オーディオ機器２０側の音量設定値ｙを定めて楽曲音をスピーカ２５から出力開始した直後（例えば、１０秒以内）に、操作部２８からスピーカ２５の音量の調整操作が行われた場合、その調整後の音量設定値ｚをポータブル装置１０の音量設定値ｘに対するオーディオ機器２０側の音量設定値として音量設定テーブルを修正する。或いは、音量設定値ｙとｚの平均値等を修正後の音量設定値とすることもできる。
【００５５】
（ｂ）  ユーザによっては、ポータブル装置１０を用いてヘッドホンでの楽曲音の聴取を終了するときに、次回のヘッドホンによる楽曲音の聴取の際に、過大な音量で再生されることを避けるために、音量を小さくして（または最小にして）ヘッドホンでの聴取を終了させることもある。この場合、オーディオ機器２０で取得するポータブル装置１０側の音量設定値は、実際よりも小さな値となってしまう。このような状況を避けるため、ポータブル装置１０の音量記憶部１７に音量設定値の平均値を記憶しておき、オーディオ機器２０からの問い合わせに対して、その平均値を出力するように構成しても良い。
【００５６】
或いは、音量記憶部１７に所定時間前（例えば、聴取終了から３０秒前）の音量設定値を記憶させておき、オーディオ機器２０からの音量設定値の問い合わせに応じて、この音量記憶部１７に記憶された所定時間（即ち、３０秒）前の音量設定値を読み出して出力するように構成しても良い。
【００５７】
（ｃ）  ポータブル装置１０からオーディオ機器２０に、アナログの楽曲信号をライン出力Ｌ，Ｒとして出力しているが、楽曲記憶部１１から読み出されたディジタルの楽曲データをオーディオ機器２０に出力するように構成することもできる。但し、その場合には、オーディオ機器２０側で、図示しないＤ／Ａコンバータにより楽曲データをアナログに変換する必要がある。
【００５８】
（ｄ）  図１に示す構成や、図３及び図４に示す動作は一例であり、ポータブル装置１０やオーディオ機器２０の構成と動作は、例示したものに限定されない。例えば、オーディオ機器２０の操作部２８は、制御部２７に直結した構成となっているが、赤外線通信等を使用したリモートコントローラを用いても良い。
【００５９】
（ｅ）  ポータブル装置１０とオーディオ機器２０の間の接続は、必ずしもケーブル３０を使用する必要はない。例えば、Bluetooth(登録商標）等の短距離無線通信を用いて接続することもできる。
【図面の簡単な説明】
【００６０】
【図１】本発明の実施形態を示すオーディオ再生装置の構成図である。
【図２】図１中の音量設定テーブルの一例を示す図である。
【図３】図１中のポータブル装置の動作を示すフローチャートである。
【図４】図１中のオーディオ機器の動作を示すフローチャートである。
【符号の説明】
【００６１】
１０    ポータブル装置
１１    楽曲記憶部
１２    再生部
１３，２４    増幅部
１４，２６    通信部
１５，２７    制御部
１６，２８    操作部
１７，２９    音量記憶部
２０    オーディオ機器
２３    セレクタ
２５    スピーカ
３０    ケーブル
Ｃ１，Ｃ２    コネクタ
Ｊ    ヘッドホン・ジャック
【図１】
2010086603.tif 000003
【図２】
2010086603.tif 000004
【図３】
2010086603.tif 000005
【図４】
2010086603.tif 000006